(57)【要約】【課題】容易に着脱できてシール性の高い、弛み止め機能を有するキャップ容器を提供することを目的とする。【解決手段】容器体２の口頸部４外面とキャップ１２の周壁１６内面とに、相互に噛み合う第１、第２の螺条６、２２を設け、このキャップ１２を、キャップ側の第２螺条２２のネジ山を含む硬質の躯体１２aと、第２螺条のネジ谷の少なくとも長手方向一部に、その谷底を形成するように固着された弾性帯２８を含む軟質のインサート部材１２ｂとで構成するとともに、上記キャップ１２の螺下降により口頸部４側の第１螺条６が上記弾性帯２８にくい込んでキャップ１２の弛みを止める機構を備えている。【選択図】  図１
2008087813.tif 000002
【特許請求の範囲】
【請求項１】
容器体２の口頸部４外面とキャップ１２の周壁１６内面とに、相互に噛み合う第１、第２の螺条６、２２を形成して、これら両螺条の締め付けにより、口頸部４の口頂面或いは口頸部４とキャップ１２内面との間をシールするように設け、
このキャップ１２を、キャップ側の第２螺条２２のネジ山を含む硬質の躯体１２aと、第２螺条のネジ谷の少なくとも長手方向一部に、その谷底を形成するように固着された弾性帯２８を含む軟質のインサート部材１２ｂとで構成するとともに、
上記キャップ１２の螺下降により口頸部４側の第１螺条６が上記弾性帯２８にくい込んでキャップ１２の弛みを止める機構を備えた、キャップ付き容器。
【請求項２】
上記インサート部材１２ｂは、キャップの周壁１６内面に露出する弾性帯２８から外方へ延びて、キャップの周壁外面に表われる滑り止め部１６ｂに連続しており、
このインサート部材１２ｂ全体を、滑り止めに適した摩擦係数を有する弾性材料で一体成形して成ることを特徴とする、請求項１記載の弛み止め機構を備えたキャップ付き容器。
【請求項３】
上記インサート部材１２ｂをエラストマーで一体成形したことを特徴とする、請求項２記載の弛み止め機構を備えたキャップ付き容器。
【請求項４】
上記弛み止め機構として、上記キャップ１２を下限位置まで螺下降させたときに、口頸部４側の第１螺条６が上記弾性帯２８にくい込むように構成したことを特徴とする、請求項１、請求項２又は請求項３記載の弛み止め機構を備えたキャップ付き容器。
【請求項５】
上記第２螺条２２のネジ谷の少なくとも長手方向上部に弾性帯２８を固着するとともに、このネジ谷上部２９の谷底での半径を、第１螺条６のネジ山が食い込む程度に小径とし、また、上部を除くネジ谷部分の谷底での半径を、第１螺条６のネジ山が当接しない程度に大径としたことを特徴とする、請求項４記載の弛み止め機構を備えたキャップ付き容器。
【請求項６】
上記第２螺条２２のネジ谷の少なくとも長手方向下部に弾性帯２８を固着するとともに、
キャップ１２の下限位置で上記第２螺条２２のネジ谷下部に対応する第１螺条のネジ山部分７の外径を、上記弾性帯２８に食い込む程度に大径に、また残余の第１螺条のネジ山部分の外径を、上記弾性帯２８に当接しない程度に小径にそれぞれ形成したことを特徴とする、請求項４記載の弛み止め機構を備えたキャップ付き容器。
【発明の詳細な説明】
【技術分野】
【０００１】
本発明は、弛み止め機構を備えたキャップ付き容器に関する。
【背景技術】
【０００２】
近年、内容物の品質保持や流出防止のためにシール性の高いキャップ容器が要望されている。そのためには、口頸部に嵌めたキャップが弛まないようにする必要がある。
【０００３】
この種容器として、容器体の口頸部とキャップ周壁の内面とにネジ部として螺条を設けた構造のキャップ容器において、口頸部側の螺条の終端部（下端部）の下側に複数の縦リブを並設し、これら縦リブにキャップの螺条を強制的に乗り上げさせることでキャップが弛まないようにしたものが知られている（特許文献１）。
【０００４】
また同様の構造において、口頸部側の螺条のうち基半部（下半部）を先半部（上半部）に比べて高さ及び幅において大寸とし、この巾広の基半部螺条部分をキャップ側のネジ溝間へ強制突入させることで、弛みを止めるものも知られている（特許文献２）。
【特許文献１】実公昭56−42187号
【特許文献２】実公昭57−28769号
【発明の開示】
【発明が解決しようとする課題】
【０００５】
特許文献１及び特許文献２の容器では、一方のネジと連続する縦リブの上に他方のネジを乗り上げさせたり、一方の大寸のネジを他方のネジの溝の間に強制的に圧入させて、その摩擦力でキャップの弛みを阻止していた。しかしながら、もともとネジは、相互に確実に噛み合わせるためにある程度剛性のある材料で形成する必要がある。そうした材料を利用して、一つのネジを強制的にリブに乗り上げさせたり、嵌め入れて係合させるようにすると、キャップを嵌合させたり或いは取り外す際に、相当の力を必要とすることになる。
【０００６】
本発明は、キャップの周壁の内面のネジ構造のうちネジ溝部分にネジ山よりも軟質の弾性体を設け、この弾性体に、容器体口頸部の螺条を食い込ませるようにすることで、弛み止め効果が高く、かつ容易に着脱できてシール性の高いキャップ容器を提供することを目的とする。
【課題を解決するための手段】
【０００７】
第１の手段は、
容器体２の口頸部４外面とキャップ１２の周壁１６内面とに、相互に噛み合う第１、第２の螺条６、２２を形成して、これら両螺条の締め付けにより、口頸部４の口頂面或いは口頸部４とキャップ１２内面との間をシールするように設け、
このキャップ１２を、キャップ側の第２螺条２２のネジ山を含む硬質の躯体１２aと、第２螺条のネジ谷の少なくとも長手方向一部に、その谷底を形成するように固着された弾性帯２８を含む軟質のインサート部材１２ｂとで構成するとともに、
上記キャップ１２の螺下降により口頸部４側の第１螺条６が上記弾性帯２８にくい込んでキャップ１２の弛みを止める機構を備えている。
【０００８】
本手段では、キャップを、ネジ山を含む部分（躯体）とネジ溝の谷底である弾性帯を含む部分（インサート部材）とに分け、前者を硬質で、後者を軟質で形成したものである。ここで硬質、軟質とは両者の相対的な関係をいうだけであり、特定の材質を指すのではない。こうすることでネジとしての性能を維持しながらキャップ側の螺条を容易に食い込ませることができる。
【０００９】
「躯体」とは、キャップの骨格部分であり、有底筒形のものとして形成している。この躯体は合成樹脂で形成することができる。
【００１０】
「インサート部材」とは、インサート成形により躯体に固着される部材という意味である。インサート成形を用いるのは、近年では接着など以上に強力に異材質を接合する技術が開発されているからである。もっとも本発明では、ネジ機構による締付によりインサート部材の一部（弾性帯）に強い力が働くので、インサート成形の接合力に頼らずに、後述の如く構造的にインサート部材を固着する手段を提案している。
【００１１】
「弾性帯」は、口頸部側の第１螺条をくい込ませるためのクッションの機能を有するものである。クッションとしては、キャップを下限位置付近まで下降させたときにその機能を発揮すれば良いので、螺旋状のネジ谷の一部（第１螺条の当接箇所）に設置すれば足りる。しかしながら、当該箇所を超えて長く、例えばネジ谷の全長に亘って弾性片を延長させてもよく、これにより躯体への定着長が長くなる。
【００１２】
尚、本手段のキャップは、ネジ同士の締め付けにより、外部と容器体との連通を遮断（シール）できるように構成したタイプのものである。そのシールの構造としては、キャップの頂壁裏面をパッキングを介して口頸部の上端面に圧接してもよく、または後述の如くキャップ頂壁の裏面と口頸部の上端面との間にシール用の栓を介在させても、或いはその他の方法でも構わない。
【００１３】
第２の手段は、第１の手段を有し、かつ
上記インサート部材１２ｂは、キャップの周壁１６内面に露出する弾性帯２８から外方へ延びて、キャップの周壁外面に表われる滑り止め部１６ｂに連続しており、
このインサート部材１２ｂ全体を、滑り止めに適した摩擦係数を有する弾性材料で一体成形して成る。
【００１４】
本手段では、インサート成形を用いて、異なる機能を有する複数の部分、特にキャップの内側に付設する弾性帯とキャップの外側に装着する滑り止め部を一体的に成形し、躯体に確実に組み付けることができるようにしている。インサート部材は、エラストマーなどで形成することができる。
【００１５】
「滑り止め部」は、キャップの周壁全周に亘って形成することができる。この場合、後述の図示例の如く周壁周方向に間欠的に形成してもよく、周壁全面を覆うように筒形に形成してもよい。滑り止め部の形状としては、ローレットのように縦条に形成することができるが、円環帯状など任意の形にすることができる。
【００１６】
第３の手段は、第１の手段又は第２の手段を有し、かつ上記インサート部材１２ｂをエラストマーで一体成形している。
【００１７】
第４の手段は、第１の手段、第２の手段又は第３の手段を有し、かつ
上記弛み止め機構として、上記キャップ１２を下限位置まで螺下降させたときに、口頸部４側の第１螺条６が上記弾性帯２８にくい込むように構成している。
【００１８】
本手段では、キャップが口頸部外面を螺下降する行程の最終段階で第１螺条が弾性帯に組み込むようにしている。それまでの段階では、殆ど抵抗なくキャップを螺下降させることができ、使い勝手が良い。
【００１９】
第５の手段は、第４の手段を有し、かつ
上記第２螺条２２のネジ谷の少なくとも長手方向上部に弾性帯２８を固着するとともに、このネジ谷上部２９の谷底での半径を、第１螺条６のネジ山が食い込む程度に小径とし、また、上部を除くネジ谷部分の谷底での半径を、第１螺条６のネジ山が当接しない程度に大径としている。
【００２０】
本手段は、キャップの下限位置で弾性帯に第１螺条をくい込ませるための第１の態様を示している。ここで半径とは、口頸部の中心線からネジ谷の底までの距離を言う。
【００２１】
第６の手段は、第４の手段を有し、かつ
上記第２螺条２２のネジ谷の少なくとも長手方向下部に弾性帯２８を固着するとともに、
キャップ１２の下限位置で上記第２螺条２２のネジ谷下部に対応する第１螺条のネジ山部分７の外径を、上記弾性帯２８に食い込む程度に大径に、また残余の第１螺条のネジ山部分の外径を、上記弾性帯２８に当接しない程度に小径にそれぞれ形成している。
【００２２】
本手段は、キャップの下限位置で弾性帯に第１螺条をくい込ませるための第２の態様を示している。上記第１の態様と併せて用いることもできる。
【発明の効果】
【００２３】
第１の手段に係る発明によれば次の効果を奏する。
○容器体口頸部４へのキャップ１２の螺合により、口頸部の第１螺条６のネジ山がキャップの第２螺条のネジ谷底部を形成する弾性帯２８に食い込むので、キャップと口頸部との間のシール機構を確実に機能させることができ、シール性が向上する。
○第２螺条のネジ山に比べて、ネジ谷の底部である弾性帯２８をより軟質の材料で形成したから、比較的小さな力でもしっかりシールすることができるとともに、強い力でキャップを締め過ぎても、キャップを外すことが容易である。
【００２４】
第２の手段に係る発明によれば次の効果を奏する。
○シール性を向上させるための弾性帯２８と、操作性を向上させるための滑り止め部１６ｂとを一体成形したから、製造コストを低減できる。
○キャップ周壁１６の外側に表れる上記滑り止め部１６ｂに、周壁１６内側の弾性帯２８を連続させたから、この弾性帯２８に口頸部４の第１螺条６のネジ山を食い込ませたときに、その弾性帯２８が固着箇所から外れてしまうことがない。
【００２５】
第３の手段に係る発明によれば、インサート部材をエラストマーで形成したから、適度のクッション性と滑り止め性能とを一つの素材で実現できる。
【００２６】
第４の手段に係る発明によれば、キャップ１２が下限位置まで降りたときに、口頸部の第１螺条６がキャップ１２の弾性帯２８に食い込むようにしたから、その下限位置に至るまではほぼ抵抗なくキャップ１２を回動させることができ、操作し易くかつシール性の高い弛み止め機構を備えたキャップ付き容器を提供することができる。
【００２７】
第５の手段に係る発明によれば、キャップ側の第２螺条のネジ谷の底の半径を調節することで、シールをするから、容器体の第１螺条については各ネジの山の高さは同じで良く、従って従来公知の容器の金型をそのまま使うことができるので、経済的である。
【００２８】
第６の手段に係る発明によれば、第６の手段とは別個の機構によりキャップのシール性を確立することができる。
【発明を実施するための最良の形態】
【００２９】
図１から図３は、本発明の第１実施形態に係る容器を示している。
【００３０】
この容器は、容器体２と、中栓８と、キャップ１２とで形成されている。容器体及び中栓は合成樹脂で形成することができる。
【００３１】
容器体２は、胴部から肩部を介して口頸部４を起立している。この口頸部４の外面には、第１螺条６をスパイラル状に形成している。
【００３２】
中栓８は、口頸部４の上端面に閉塞板１０を載置するとともに、この閉塞板の下面周縁部から垂下した脚筒を、口頸部４の内面に密嵌している。また閉塞板１０の中央部を上方に隆起する注出口としている。
【００３３】
キャップ１２は、頂壁１４の周縁から周壁１６を垂設してなり、これら両壁の一部を含む躯体１２aとインサート部材１２ｂとで形成している。
【００３４】
上記躯体１２ａは、頂壁部１４aの周縁から肉厚の周壁部１６aを垂下している。頂壁部の中心からは、栓筒１８を垂下して、中栓の注出口内へ液密に嵌合している。上記周壁部１６aの外面の全体には、開口部が狭い複数のアリ溝２０を等間隔に縦設しており、また、周壁部１６aの内面には、上記第１螺条と噛み合う第２螺条２２を形成している。この第２螺条２２の先端部はネジ山を形成しており、ネジ山同士の間のネジ谷には弾性帯収納用の切込み２４を穿設している。スパイラル状の切込みと縦溝状のアリ溝との交差部分に相互を連通する連通孔２６を貫通している。
【００３５】
上記インサート部材１２ｂは、躯体の頂壁部１４a上面を覆う天頂板１４ｂの周縁から縦棒状の複数の滑り止め部１６ｂを上記アリ溝２０内へ突入させている。滑り止め部１６ｂと躯体の周壁部１６ａとの各外面は面一に形成している。各滑り止め部１６ｂから上記連通孔２６を通って、キャップ内側の弾性帯２８に連結している。この弾性帯は、上記切込み２４内に第２螺条全体に亘って固着されている。この弾性帯は、弾性帯と滑り止め部との連結部により、切込みの方向への応力に抵抗するようにしている。この弾性帯のうち第２螺条の上半部に係る部分、即ちネジ谷上部２９に相当する部分は、図３に示す如く下半部に比べてｈ１ほど内方へ張りだしている。こうすることで、第２螺条の上半部では弾性帯２８が口頸部の第１螺条６に当接するが、第２螺条の下半部では弾性帯が第１螺条６に当接しないように各半部の半径（口頸部中心軸からの距離）を設定している。このインサート部材は、エラストマーで形成することができる。
【００３６】
また図示のインサート部材１２ｂでは、天頂板１４ｂの一部から躯体の頂壁部１４aを貫通して頂壁部裏面に係合するフック３０を垂設している。また、天頂板１４ｂの中心から躯体の栓筒１８内に棒部を垂下して、栓筒に係合させている。これによりこれら天頂板と躯体の頂壁部とを、より強く結合している。
【００３７】
尚、従来公知の技術として、図面では省略しているが、キャップ１２内面と中栓８との適所には相互に係合して、口頸部外面へのキャップ１２の締め付けにより、中栓の閉塞板１０下面外周部を口頸部４の上端面に圧接させ、この口頸部の口頂面をシールするように設ける。一例としては、栓筒１８の外面基部に中栓押下げ用のリブ（図示せず）を形成しても良い。
【００３８】
上記構成によれば、容器体の口頸部４にキャップ１２の周壁１６を螺合させるときに、その螺下降の過程の始めには第１螺条６と弾性体２８とは擦れ合うことなく、スムーズに嵌め込むことができる。更にキャップを下降させていくと、第１螺条の先端部（ネジ山）が弾性帯２８にくい込む。これによりキャップを口頸部にシールさせることができる。
【００３９】
図４は、本発明の第２実施形態に係るキャップ付き容器を示している。本実施形態は、弾性帯２８の内面を同一円筒面上に設置するとともに、第１螺条６の下端部７を、下端部を除く第１螺条部分よりも大径にしている。
【００４０】
即ち、第１螺条６の下端部７は弾性帯２８へｈ２だけ食い込むように、また下端部を除く第１螺条部分は弾性帯に接触しないようにそれぞれの径を設定している。
【図面の簡単な説明】
【００４１】
【図１】本発明の第1の実施形態に係る容器の縦断面図である。
【図２】図１の容器の平面図である。
【図３】図１の容器の要部拡大縦断面図である。
【図４】本発明の第２の実施形態に係る容器の縦断面図である。
【符号の説明】
【００４２】
２…容器体  ４…口頸部  ６…第１螺条  ８…中栓  １０…閉塞板
１２…キャップ  １２a…躯体  １２ｂ…インサート部材  １４…頂壁  １６…周壁
１４a…頂壁部  １４ｂ…天頂板  １６a…周壁部  １６ｂ…滑り止め部  １８…栓筒２０…アリ溝  ２２…第２螺条  ２４…切込み  ２６…連通孔  ２８…弾性帯
３０…フック
【図１】
2008087813.tif 000003
【図２】
2008087813.tif 000004
【図３】
2008087813.tif 000005
【図４】
2008087813.tif 000006